(57)【要約】【課題】信号送信を効率的に行う通信制御装置、基地局装置及び通信制御方法を提供する。【解決手段】ＦＨＭ２０は、それぞれが形成するセルが合成されて１つの仮想セルを形成する複数のＲＥ３１〜３３を制御する。制御部２０１は、ＲＥ３１〜３３により形成されるセルの重複領域に在圏する端末装置からの信号の受信強度を取得し、取得した受信強度を基に、重複領域を含むセルを形成するＲＥ３１〜３３の中から、端末装置への信号送信を優先するＲＥ３１を選択し、重複領域を含むセルを形成する無線装置３１〜３３のうち選択した無線装置３１以外の無線装置の送信電力を低下させる。ＣＰＲＩ終端部２１１〜２１３は、ＲＥＣ１０から送信信号を受信し、各ＲＥ３１〜３３に対する信号に分配する。デジタル処理部２２１〜２２３の通信処理部２３１は、ＣＰＲＩ終端部２１１〜２１３により分配された信号を各ＲＥ３１〜３３から端末装置へ送信させる。【選択図】図２
2018011130.tif 000002
【特許請求の範囲】
【請求項１】
それぞれが形成するセルが合成されて１つの仮想セルを形成する複数の無線装置を制御する通信制御装置であって、
前記無線装置により形成される前記セルの重複領域に在圏する端末装置からの信号の受信強度を取得し、取得した前記受信強度を基に、前記重複領域を含むセルを形成する無線装置の中から、前記端末装置への信号送信を優先する前記無線装置を選択し、前記重複領域を含むセルを形成する無線装置のうち選択した無線装置以外の無線装置の送信電力を低下させる制御部と、
ベースバンド処理装置から送信信号を受信し、各前記無線装置に対する信号に分配する分配部と、
前記分配部により分配された信号を各前記無線装置から前記端末装置へ送信させる通信部と
を備えたことを特徴とする通信制御装置。
【請求項２】
前記制御部は、複数の前記無線装置のうち、前記選択した無線装置以外の全ての送信電力を低下させる
ことを特徴とする請求項１に記載の通信制御装置。
【請求項３】
前記制御部は、前記重複領域に前記端末装置が在圏し、且つ、前記仮想セル内に前記端末装置以外の他の端末装置が存在しない場合に、前記選択を行うことを特徴とする請求項１又は２に記載の通信制御装置。
【請求項４】
前記制御部は、前記重複領域に前記端末装置が在圏しない場合、前記端末装置が在圏しないセルを形成する前記無線装置の送信電力を低下させることを特徴とする請求項１〜３のいずれか一つに記載の通信制御装置。
【請求項５】
前記通信部は、前記端末装置から受信した信号を格納する記憶部をさらに備え、
前記制御部は、前記記憶部に格納された信号からチャネル状態情報を取得し、前記チャネル状態情報に基づいて前記送信電力の低下を解除する
ことを特徴とする請求項１〜４のいずれか一つに記載の通信制御装置。
【請求項６】
ベースバンド処理装置、通信制御装置及び複数の無線装置を有する基地局装置であって、
各前記無線装置は、合成されて１つの仮想セルを形成するセルを形成し、
前記通信制御装置は、
前記セルの重複領域に在圏する端末装置からの信号の受信強度を取得し、取得した前記受信強度を基に、前記重複領域を形成する無線装置の中から、前記端末装置への信号送信を優先する前記無線装置を選択し、前記重複領域を形成する前記無線装置のうち選択した無線装置以外の無線装置の送信電力を低下させる制御部と、
前記ベースバンド処理装置から送信信号を受信し、各前記無線装置に対する信号に分配する分配部と、
前記分配部により分配された信号を各前記無線装置から前記端末装置へ送信させる通信部とを備えた
ことを特徴とする基地局装置。
【請求項７】
それぞれが形成するセルが合成されて１つの仮想セルを形成する複数の無線装置の通信制御方法であって、
前記無線装置により形成される前記セルの重複領域に在圏する端末装置からの信号の受信強度を取得し、
取得した前記受信強度を基に、前記重複領域を含むセルを形成する無線装置の中から、前記端末装置への信号送信を優先する前記無線装置を選択し、
前記重複領域を含むセルを形成する無線装置のうち選択した無線装置以外の無線装置の送信電力を低下させ、
ベースバンド処理装置から送信信号を受信し、各前記無線装置に対する信号に分配し、
分配された信号を各前記無線装置から前記端末装置へ送信させる
ことを特徴とする通信制御方法。
【発明の詳細な説明】
【技術分野】
【０００１】
本発明は、通信制御装置、基地局装置及び通信制御方法に関する。
【背景技術】
【０００２】
基地局装置には、ＲＥＣ（Radio  Equipment  Controller）とＲＥ（Radio  Equipment）を有するものがある。基地局装置は、ｅＮＢ（evolved  Node  B）とも呼ばれる。このような基地局装置との間で、携帯電話やスマートフォンなどの端末装置は、ＲＥに設けられたアンテナと無線による情報のやり取りを行い通信する。
【０００３】
例えば、基地局装置は、マクロセルと呼ばれる大出力のＲＥによりセルを形成する。さらに、基地局装置は、人口密度が過密で帯域を確保することが困難な場合や、地形や建築物の影響で不感地帯が発生するような場合は、マクロセルに含まれるように多数のスモールセルを配置する。
【０００４】
スモールセルはそれぞれが一つのセルであり、基地局装置のＲＥＣは、スモールセルに対してもマクロセルを形成するのと同様のリソースを確保する。また、基地局装置は、スモールセル毎にＲＥＣとＲＥとを接続するフロントホール回線を確保するため、回線の設置場所や取扱いなどの運用面での負担が大きい。
【０００５】
そこで、近年、フロントホールマルチプレクサ（ＦＨＭ：Front  Hole  Multiplexer）と呼ばれる装置が提案されている。フロントホールマルチプレクサは、ＲＥＣから受信したデータをそれぞれがスモールセルを形成する複数のＲＥに対して分配し、それぞれに同一の信号を送信する。また、フロントホールマルチプレクサは、複数のＲＥからの受信情報をマージしてＲＥＣと通信する。これにより、フロントホールマルチプレクサは、複数のＲＥを用いて１つの大きな仮想マクロセルを形成する。このフロントホールマルチプレクサにより、ＲＥＣにおけるベースバンド処理部を搭載する基板やフロントホール回線数の削減を実現することができる。
【０００６】
ここで、フロントホールマルチプレクサを用いた場合、複数のＲＥは、ＲＥＣから見ると１つのセクタにしか見えない。そのため、ＲＥＣは、１セクタ分の送信ＩＱ（In-phase  Quadrature）データを実際には複数のＲＥに対して送信する。フロントホールマルチプレクサは、そのデータを、自装置に接続された複数のＲＥに同一のデータとして分配し、それぞれのＲＥに対して送信する。これにより、フロントホールマルチプレクサは、複数のＲＥを用いて１つの仮想マクロセルを形成する。端末装置からの上り信号は各ＲＥで異なる信号を受信するため、フロントホールマルチプレクサは、各ＲＥで受信された信号をマージしてＲＥＣへ送信する。
【０００７】
なお、複数のＲＥに同一の信号を送信する技術として、複数のＲＥをいくつかのセクタにグループ化し、各セクタ内のＲＥに同一のダウンリンク信号を送信させ、セクタ間でダウンリンク信号の重みを変化させることでハンドオーバを実現する従来技術がある。
【先行技術文献】
【特許文献】
【０００８】
【特許文献１】特表２０１２−５１９４１３号公報
【発明の概要】
【発明が解決しようとする課題】
【０００９】
ここで、本来セルは隣接する基地局装置からの無線データの干渉による信号の劣化を避けるために、各セルは、それぞれの信号が影響しないようにセル同士が分離するように設計される。しかしながら、フロントホールマルチプレクサでは、同一の信号を送信することによって、１つの仮想セルを形成するため、セル同士が重複するように設計される。そのため、複数経路からの信号同士が干渉することにより、ＲＥから送信された信号が劣化し、効率的な信号送信を実現することは困難である。
【００１０】
また、セクタ間でダウンリンク信号の重みを変化させてハンドオーバを実現する従来技術では、フロントホールマルチプレクサによる１つの仮想セルを用いた通信は考慮されておらず、その場合の効率的な信号送信は困難である。
【００１１】
開示の技術は、上記に鑑みてなされたものであって、信号送信を効率的に行う通信制御装置、基地局装置及び通信制御方法を提供することを目的とする。
【課題を解決するための手段】
【００１２】
本願の開示する通信制御装置、基地局装置及び通信制御方法の一つの態様において、通信制御装置は、それぞれが形成するセルが合成されて１つの仮想セルを形成する複数の無線装置を制御する。制御部は、前記無線装置により形成される前記セルの重複領域に在圏する端末装置からの信号の受信強度を取得し、取得した前記受信強度を基に、前記重複領域を含むセルを形成する無線装置の中から、前記端末装置への信号送信を優先する前記無線装置を選択し、前記重複領域を含むセルを形成する無線装置のうち選択した無線装置以外の無線装置の送信電力を低下させる。分配部は、ベースバンド処理装置から送信信号を受信し、各前記無線装置に対する信号に分配する。通信部は、前記分配部により分配された信号を各前記無線装置から前記端末装置へ送信させる。
【発明の効果】
【００１３】
本願の開示する通信制御装置、基地局装置及び通信制御方法の一つの態様によれば、信号送信を効率的に行うことができるという効果を奏する。
【図面の簡単な説明】
【００１４】
【図１】図１は、基地局装置のブロック図である。
【図２】図２は、ＦＨＭのブロック図である。
【図３】図３は、異なるＲＥの配下に同一の端末装置が存在する状態を示す図である。
【図４】図４は、異なるＲＥから送信される無線信号を表す図である。
【図５】図５は、基地局装置における無線信号送信の抑制制御のフローチャートである。
【図６】図６は、端末装置の進入による無線信号の送信抑制状態からの復帰処理のフローチャートである。
【図７】図７は、ＦＨＭのハードウェア構成図である。
【図８】図８は、ＲＥＣのハードウェア構成図である。
【発明を実施するための形態】
【００１５】
以下に、本願の開示する通信制御装置、基地局装置及び通信制御方法の実施例を図面に基づいて詳細に説明する。なお、以下の実施例により本願の開示する通信制御装置、基地局装置及び通信制御方法が限定されるものではない。
【実施例１】
【００１６】
図１は、基地局装置のブロック図である。本実施例に係る基地局装置１は、端末装置２と無線通信を行う。基地局装置１は、ＲＥＣ１０、ＦＨＭ２０、ＲＥ３１〜３３及びアンテナ４１〜４３を有する。ＲＥ３１〜３３は、本実施例ではそれぞれ同様の機能を有するため、以下では、ＲＥ３１〜３３のそれぞれを区別しない場合、「ＲＥ３０」という。
【００１７】
ＲＥＣ１０は、呼制御、ベースバンド信号の生成、ベースバンド信号処理及び他の基地局装置との通信などを行う。例えば、ＲＥＣ１０は、ベースバンド処理として、信号の変復調、符号化及び復号化などを行う。このＲＥＣ１０が、「ベースバンド処理装置」の一例にあたる。
【００１８】
本実施例に係るＦＨＭ２０は、複数のＲＥ３０により形成される１つのセルを用いて端末装置２と通信を行うか、１つのＲＥ３０により形成される１つのセルを用いて端末装置２と通信を行うかを決定する。以下では、複数のＲＥ３０により形成される１つのセルを、「仮想マクロセル」という場合がある。また、１つのＲＥ３０により形成される１つのセルを、「スモールセル」という場合がある。そして、仮想マクロセルを用いて端末装置２と通信を行う場合、ＦＨＭ２０は、仮想マクロセルを形成させる複数のＲＥ３０を選択する。また、スモールセルを用いて端末装置２と通信を行う場合、ＦＨＭ２０は、端末装置２と通信を行わせるＲＥ３０を１つ選択する。このＦＨＭ２０によるＲＥ３０の選択については後で詳細に説明する。
【００１９】
ＦＨＭ２０は、端末装置２へ送信する信号の入力をＲＥＣ１０から受ける。この信号は、例えば、ＩＱデータである。そして、ＦＨＭ２０は、仮想マクロセルを用いて端末装置２と通信を行う場合、仮想マクロセルを形成させる複数のＲＥ３０へ取得した信号を送信する。また、スモールセルを用いて端末装置２と通信を行う場合、ＦＨＭ２０は、端末装置２との通信のために選択したＲＥ３０へ取得した信号を送信する。
【００２０】
また、ＦＨＭ２０は、仮想マクロセルを用いて端末装置２と通信を行う場合、端末装置２から送出された信号の入力を、仮想マクロセルを形成する複数のＲＥ３０から受ける。そして、ＦＨＭ２０は、取得した信号を１つにまとめてＲＥＣ１０へ出力する。また、スモールセルを用いて端末装置２と通信を行う場合、ＦＨＭ２０は、端末装置２から送出された信号の入力を１つのＲＥ３０から受ける。そして、ＦＨＭ２０は、取得した信号をＲＥＣ１０へ出力する。このＦＨＭ２０が、「通信制御装置」の一例にあたる。
【００２１】
ＲＥ３０は、図１に示すＲＥ３１〜３３のように基地局装置１に複数搭載される。図１では、ＲＥ３１〜３３という３つのＲＥ３０を例として記載したが、実際にはＲＥ３０はいくつでもよい。ＲＥ３１〜３３は、それぞれスモールセルを形成する。ＲＥ３１〜３３は、重なり合う複数のスモールセルにより、仮想マクロセルを形成する。例えば、ＲＥ３１とＲＥ３２とは重なり合うスモールセルを形成する。このＲＥ３１〜３３が、「無線装置」の一例にあたる。また、この場合のＲＥ３１及び３２が、「重複領域を含むセルを形成する無線装置」の一例にあたる。
【００２２】
ＲＥ３１〜３３は、端末装置２へ送信する信号の入力をＦＨＭ２０から受ける。そして、ＲＥ３１〜３３は、それぞれ自己に接続するアンテナ４１〜４３を用いて取得した信号を端末装置２へ送信する。
【００２３】
また、ＲＥ３１〜３３は、アンテナ４１〜４３を介して信号を端末装置２から受信する。そして、ＲＥ３１〜３３は、受信した信号をＦＨＭ２０へ出力する。さらに、ＲＥ３１〜３３は、受信した信号の受信強度を取得する。そして、ＲＥ３１〜３３は、取得した信号強度を信号の送信元の端末装置２の情報とともにＦＨＭ２０へ出力する。
【００２４】
次に、図２を参照して、ＦＨＭ２０についてさらに説明する。図２は、ＦＨＭのブロック図である。図２に示すように、ＦＨＭ２０は、制御部２０１、記憶部２０２、ＣＰＲＩ（Common  Public  Radio  Interface）（登録商標）終端部２１１〜２１３及びデジタル処理部２２１〜２２３を有する。
【００２５】
ＣＰＲＩ終端部２１１〜２１３は、それぞれ同じ機能を有する。そこで、以下では、ＣＰＲＩ終端部２１１〜２１３のそれぞれを区別しない場合、「ＣＰＲＩ終端部２１０」という。また、デジタル処理部２２１〜２２３は、それぞれ同じ機能を有する。そこで、以下では、デジタル処理部２２１〜２２３を区別しない場合、「デジタル処理部２２０」という。図２では、例としてデジタル処理部２２１〜２２３を図示したが、デジタル処理部２２０はいくつ配置されてもよい。また、ＣＰＲＩ終端部２１１〜２１３を図示したが、ＣＰＲＩ終端部２１０はデジタル処理部２２０に対応するように配置され、デジタル処理部２２０の数と同数が配置される。
【００２６】
ＣＰＲＩ終端部２１０は、送信信号の分離及び受信信号の多重を行う。具体的には、ＣＰＲＩ終端部２１０は、以下の処理を行う。
【００２７】
ＣＰＲＩ終端部２１１は、送信信号の入力をＲＥＣ１０から受ける。そして、ＣＰＲＩ終端部２１１は、取得した信号をＣＰＲＩ終端部２１２へ出力する。ＣＰＲＩ終端部２１２は、ＣＰＲＩ終端部２１１から取得した信号をＣＰＲＩ終端部２１３へ繋がるＣＰＲＩ終端部２１０へ出力する。ＣＰＲＩ終端部２１１〜２１３は、このように送信信号を分離することで、それぞれが同じ送信信号を受信する。そして、ＣＰＲＩ終端部２１１〜２１３は、それぞれ接続するデジタル処理部２２１〜２２３へ送信信号を出力する。
【００２８】
また、ＣＰＲＩ終端部２１１〜２１３は、仮想マクロセルを用いて端末装置２と通信を行う場合、それぞれ接続するデジタル処理部２２１〜２２３から受信信号の入力を受ける。そして、ＣＰＲＩ終端部２１３は、ＣＰＲＩ終端部２１２へ繋がるＣＰＲＩ終端部２１０へ受信信号を出力する。ＣＰＲＩ終端部２１１は、ＣＰＲＩ終端部２１２〜２１３のそれぞれが取得した受信信号の入力をＣＰＲＩ終端部２１２から受ける。そして、ＣＰＲＩ終端部２１１は、受信した信号を多重して１つの信号を生成する。その後、ＣＰＲＩ終端部２１１は、生成した信号をＲＥＣ１０へ出力する。
【００２９】
これに対して、１つのスモールセルを用いて端末装置２と通信を行う場合、通信に用いるスモールセルを形成するＲＥ３０に接続するデジタル処理部２２０に接続するＣＰＲＩ終端部２１０が、接続先のデジタル処理部２２０から受信信号の入力を受ける。そして、受信信号の入力を受けたＣＰＲＩ終端部２１０は、ＣＰＲＩ終端部２１１へ受信信号を送信する。ＣＰＲＩ終端部２１１は、取得した信号をＲＥＣ１０へ出力する。このＣＰＲＩ終端部２１０が、「分配部」の一例にあたる。
【００３０】
デジタル処理部２２０は、通信処理部２３１、ＩＱ変調処理部２３２、デコード処理部２３３及び測定データ取得部２３４を有する。
【００３１】
通信処理部２３１は、例えば、ベースバンド信号の同相成分及び直交成分を有するＩＱデータである送信信号の入力をＣＰＲＩ終端部２１３から受ける。そして、通信処理部２３１は、取得した送信信号に対して補正処理を行う。次に、通信処理部２３１は、補正処理後の送信信号を接続するＲＥ３０へ送信する。
【００３２】
また、通信処理部２３１は、端末装置２から送信されたＩＱデータである受信信号をＲＥ３０から受信する。そして、通信処理部２３１は、受信した信号をＣＰＲＩ終端部２１３及びＩＱ変調処理部２３２へ出力する。
【００３３】
さらに、通信処理部２３１は、端末装置２から送信された信号の受信強度をＲＥ３０から受信する。そして、通信処理部２３１は、受信強度を制御部２０１へ出力する。この通信処理部２３１が、「通信部」の一例にあたる。
【００３４】
ＩＱ変調処理部２３２は、ＩＱデータである受信信号の入力を通信処理部２３１から受ける。そして、ＩＱ変調処理部２３２は、ＩＱデータである受信信号に変調処理を施す。その後、ＩＱ変調処理部２３２は、変調処理を施した受信信号をデコード処理部２３３へ出力する。ここで、ＩＱ変調処理部２３２は、ＲＥＣ１０で行われるベースバンド処理のように即時性、すなわち信号の受信とほぼ同時にタイムラグを発生させずに変調処理を行わなくてもよい。すなわち、ＩＱ変調処理部２３２は、受信信号を溜めておき時間をかけて変調処理を行うことができる。そのため、ＦＨＭ２０のＩＱ変調処理部２３２には、高速な処理を行うためのＤＳＰ（Digital  Signal  Processor）を用いなくてもよい。
【００３５】
デコード処理部２３３は、変調処理が施された受信信号の入力をＩＱ変調処理部２３２から受ける。そして、デコード処理部２３３は、取得した受信信号に対して復号化処理を施す。そして、デコード処理部２３３は、復号化処理を施した受信信号を測定データ取得部２３４へ出力する。
【００３６】
測定データ取得部２３４は、復号化された受信信号の入力をデコード処理部２３３から受ける。そして、測定データ取得部２３４は、取得した受信信号からＣＳＩ（Channel  State  Information）を取得する。その後、測定データ取得部２３４は、取得したＣＳＩを記憶部２０２に記憶させる。
【００３７】
記憶部２０２は、メモリなどの記憶媒体を有する。記憶部２０２は、測定データ取得部２３４から取得したＣＳＩの情報を記憶する。
【００３８】
制御部２０１は、各ＲＥ３０のスモールセルの配下にある端末装置２のそれぞれの最新のＣＳＩを記憶部２０２から取得する。また、制御部２０１は、各デジタル処理部２２０の通信処理部２３１から、各ＲＥ３０に収容された端末装置２の受信強度を取得する。
【００３９】
そして、制御部２０１は、取得したＣＳＩを用いて各端末装置２のチャネル品質を確認する。チャネル品質が悪い端末装置２がある場合、制御部２０１は、仮想マクロセルを用いた端末装置２との通信を実行するように通信処理部２３１に通知する。
【００４０】
これに対して、いずれの端末装置２においてもチャネル品質が良好な場合、制御部２０１は、異なるＲＥ３０の配下に同一の端末装置２が存在するか否かを判定する。ここで、ＲＥ３０の配下に端末装置２が存在するとは、そのＲＥ３０が生成するスモールセル内に端末装置２が存在することを表す。例えば、制御部２０１は、受信強度の情報などを用いて各ＲＥ３０の配下に存在する端末装置２を特定して、端末装置２の位置を判定する。
【００４１】
異なるＲＥ３０の配下に同一の端末装置２が存在しない場合、制御部２０１は、配下に端末装置２が存在するＲＥ３０を特定する。次に、制御部２０１は、特定したＲＥ３０以外のＲＥ３０による無線信号の送信を停止させることを決定する。そして、制御部２０１は、無線信号の送信の停止を決定したＲＥ３０に接続するデジタル処理部２２０に対して、ＲＥ３０への無線信号の送信停止を指示する。
【００４２】
また、異なるＲＥ３０の配下に同一の端末装置２が存在する場合、制御部２０１は、端末装置２が１台か否かを判定する。端末装置２が２台以上ある場合、それぞれの端末装置２の位置によって重複するスモールセルを有するＲＥ３０の内のいずれからの信号の品質が良いかが異なるため、ＲＥ３０からの信号の送信を停止した場合、通信が困難となる端末装置２が存在する可能性がある。この場合、いずれかのＲＥ３０からの信号の送信を停止させることは困難であるため、制御部２０１は、仮想マクロセルを用いた端末装置２との通信を実行するように通信処理部２３１に通知する。
【００４３】
これに対して、異なるＲＥ３０の配下に存在する端末装置２が１台の場合、制御部２０１は、それぞれのＲＥ３０におけるその端末装置２からの信号の受信強度を比較する。そして、制御部２０１は、受信強度の高いＲＥ３０を優先ＲＥとして決定する。次に、制御部２０１は、優先ＲＥ以外のＲＥ３０からの無線信号の送信の停止を決定する。そして、制御部２０１は、無線信号の送信の停止を決定したＲＥ３０に接続するデジタル処理部２２０に対して、ＲＥ３０への無線信号の送信停止を指示する。
【００４４】
無線信号の送信を停止させたＲＥ３０がある場合、制御部２０１は、仮想マクロセルを形成可能なＲＥ３０の配下に端末装置２が入ってきたか否かを判定する。例えば、制御部２０１は、各ＲＥ３０から入力される受信強度などを用いて新たな端末装置２の仮想マクロセルを形成可能なＲＥ３０の配下への進入を判定する。仮想マクロセルを形成可能なＲＥ３０の配下に端末装置２が入ってきた場合、制御部２０１は、無線信号の送信を停止させた全てのＲＥ３０に対して、無線信号の送信の再開を決定する。そして、制御部２０１は、無線信号の送信の再開を決定したＲＥ３０に接続するデジタル処理部２２０に対して、ＲＥ３０への無線信号の送信再開を指示する。
【００４５】
ここで、本実施例では、制御部２０１は、デジタル処理部２２０に対して無線信号の送信停止及び再開を指示したが、ＲＥ３０からの無線信号の送信を制御できるのであれば制御対象はこれに限らない。例えば、制御部２０１は、ＲＥ３０に対して直接無線信号の送信停止や再開を指示し、ＲＥ３０からの無線信号の送信を制御してもよい。
【００４６】
さらに、本実施例では、制御部２０１は、ＲＥ３０からの無線信号の送信を停止したが、例えば、ＲＥ３０からの送信電力を低下させて、ＲＥ３０を低消費電力モードに移行させてもよい。
【００４７】
ここで、図３及び４を参照して、本実施例に係る基地局装置１によるＲＥ３０からの無線信号の送信の抑制による信号劣化の回避についてまとめて説明する。図３は、異なるＲＥの配下に同一の端末装置が存在する状態を示す図である。また、図４は、異なるＲＥから送信される無線信号を表す図である。
【００４８】
図３では、ＲＥ３１は、スモールセル３０１を形成する。また、ＲＥ３２は、スモールセル３０２を形成する。さらに、ＲＥ３３は、スモールセル３０３を形成する。そして、スモールセル３０１とスモールセル３０２とは、互いに重複する。端末装置２は、スモールセル３０１とスモールセル３０２とが重複する領域に在圏している。すなわち、端末装置２は、異なるＲＥ３０であるＲＥ３１とＲＥ３２の配下に存在する。
【００４９】
この場合、端末装置２は、ＲＥ３１及び３２のいずれからも信号を受信することができる。ここで、端末装置２がＲＥ３１から受信する信号は、図４のグラフ１１０に示す信号１０１である。また、端末装置２がＲＥ３２から受信する信号は図４のグラフ１１０に示す信号１０２である。ここで、グラフ１１０は、縦軸で端末装置２における受信信号の信号レベルを表し、横軸で時間の経過を表す。
【００５０】
仮想マクロセルを用いて通信を行う場合、端末装置２に対してＲＥ３１及び３２から送信された２つの信号は同一周波数の同じ周期の信号であるため、端末装置２は、２つの信号の遅延の差分を含めた合成波を受信することになり、信号が劣化する。
【００５１】
ここで、グラフ１１０の信号１０１で示すように、端末装置２は、ＲＥ３１から受信する信号の方がＲＥ３２から受信する信号よりも品質が良い。そこで、本実施例に係るＦＨＭ２０の制御部２０１は、より受信強度の高いスモールセル３０１を優先セルとして選択し、ＲＥ３２からの無線信号の送信を抑制する。これにより、端末装置２は、図４のグラフ１１０における信号１０１を受信信号として取得する。すなわち、信号１０２による受信信号の劣化を抑えることができる。
【００５２】
また、ＦＨＭ２０の制御部２０１は、受信強度が低いスモールセルを形成するＲＥ３０は、配下に端末装置２を有さないと考えられるので、そのようなＲＥ３０からの無線信号の送信も抑制する。これにより、消費電力を抑えることもできる。
【００５３】
次に、図５を参照して、本実施例に係る基地局装置１における無線信号送信の抑制制御について説明する。図５は、基地局装置における無線信号送信の抑制制御のフローチャートである。
【００５４】
各デジタル処理部２２０の通信処理部２３１は、接続するＲＥ３０から受信信号を取得する。そして、通信処理部２３１は、受信した信号を用いて、接続するＲＥ３０の配下に存在する端末装置２の受信強度を取得する。ここでは、ＲＥ３０の配下に存在する端末装置２の受信強度を、「ＲＥ３０の受信強度」という。制御部２０１は、各ＲＥ３０の受信強度を各デジタル処理部２２０から取得する（ステップＳ１）。
【００５５】
次に、制御部２０１は、各ＲＥ３０の受信強度の中で所定強度以上の受信強度があるか否かにより、ＦＨＭ２０配下に端末装置２が存在するか否かを判定する（ステップＳ２）。ここで、ＦＨＭ２０の配下に端末装置２が存在するとは、ＦＨＭ２０に接続するＲＥ３０の何れかの配下に端末装置２が存在することを指す。ＦＨＭ２０の配下に端末装置２が存在しない場合（ステップＳ２：否定）、制御部２０１は、ステップＳ１１に進む。
【００５６】
これに対して、ＦＨＭ２０の配下に端末装置２が存在する場合（ステップＳ２：肯定）、通信処理部２３１は、受信信号をＩＱ変調処理部２３２へ出力する。ＩＱ変調処理部２３２は、通信処理部２３１から取得した受信信号に対して変調処理を施す（ステップＳ３）。
【００５７】
次に、ＩＱ変調処理部２３２は、変調処理を施した受信信号をデコード処理部２３３へ出力する。デコード処理部２３３は、ＩＱ変調処理部２３２から取得した受信信号に復号化処理を施す。そして、デコード処理部２３３は、復号化処理を施した受信信号を記憶部２０２へ記憶させる。制御部２０１は、記憶部２０２に格納された受信信号からＦＨＭ２０の配下にある端末装置２のそれぞれのＣＳＩを取得する（ステップＳ４）。
【００５８】
次に、制御部２０１は、取得したＣＳＩを用いて、チャネル品質の悪い端末装置２があるか否かを判定する（ステップＳ５）。具体的には、制御部２０１は、チャネル品質が所定値以下の端末装置２をチャネル品質が悪い端末装置２と判定する。チャネル品質の悪い端末装置２がある場合（ステップＳ５：肯定）、制御部２０１は、ステップＳ１１へ進む。
【００５９】
これに対して、チャネル品質の悪い端末装置２が無い場合（ステップＳ５：否定）、制御部２０１は、異なるＲＥ３０の配下に同一の端末装置２が存在するか否かを判定する（ステップＳ６）。
【００６０】
異なるＲＥ３０の配下に同一の端末装置２が存在する場合（ステップＳ６：肯定）、制御部２０１は、ＦＨＭ２０の配下に存在する端末装置２が１台か否かを判定する（ステップＳ７）。ＦＨＭ２０の配下に存在する端末装置２が２台以上の場合（ステップＳ７：否定）、制御部２０１は、ステップＳ１１へ進む。
【００６１】
これに対して、ＦＨＭ２０の配下に存在する端末装置２が１台の場合（ステップＳ７：肯定）、制御部２０１は、配下に同一の端末装置２が存在するＲＥ３０の受信強度を比較する（ステップＳ８）。
【００６２】
そして、制御部２０１は、受信強度の最も高いセルを有するＲＥ３０を優先ＲＥに決定する（ステップＳ９）。
【００６３】
その後、制御部２０１は、優先ＲＥ以外のＲＥ３０からの無線信号の送信を停止する（ステップＳ１０）。
【００６４】
一方、ステップＳ２で否定の場合、ステップＳ５で肯定の場合、又は、ステップＳ７で否定の場合、制御部２０１は、通常動作の実施を各デジタル処理部２２０の通信処理部２３１に指示する（ステップＳ１１）。
【００６５】
これに対して、異なる配下に同一の端末装置２が無い場合（ステップＳ６：否定）、制御部２０１は、ＲＥ３０を一つ選択する（ステップＳ１２）。
【００６６】
次に、制御部２０１は、選択したＲＥ３０の配下に端末装置２が存在するか否かを判定する（ステップＳ１３）。
【００６７】
選択したＲＥ３０の配下に端末装置２が存在する場合（ステップＳ１３：肯定）、制御部２０１は、選択したＲＥ３０から無線信号を送信させる（ステップＳ１４）。具体的には、制御部２０１は、選択したＲＥ３０への無線信号の送信を、選択したＲＥ３０に接続するデジタル処理部２２０に指示する。
【００６８】
これに対して、選択したＲＥ３０の配下に端末装置２が存在しない場合（ステップＳ１３：否定）、制御部２０１は、選択したＲＥ３０の無線信号の送信を停止させる（ステップＳ１５）。具体的には、制御部２０１は、選択したＲＥ３０への無線信号の送信の停止を、選択したＲＥ３０に接続するデジタル処理部２２０に指示する。
【００６９】
次に、制御部２０１は、ＦＨＭ２０の配下の全てのＲＥ３０を選択したか否かを判定する（ステップＳ１６）。未選択のＲＥ３０が残っている場合（ステップＳ１６：否定）、制御部２０１は、ステップＳ１２へ戻る。
【００７０】
これに対して、全てのＲＥ３０を選択し終わった場合（ステップＳ１６：肯定）、制御部２０１は、ＲＥ３０の無線信号の送信の抑制制御を終了する。
【００７１】
ここで、図５に記載したフローには、１回のＲＥ３０の無線信号の送信停止制御で行われる処理を記載した。すなわち、基地局装置１は、ステップＳ１〜Ｓ１６の処理を繰り返す。そして、図５に記載したフローを繰り返すことで、チャネル品質の悪い端末装置２が存在する場合や、端末装置２がＦＨＭ２０の配下に存在しなくなった場合に、基地局装置１は、無線信号の送信抑制状態から通常動作に戻る。また、仮想マクロセルの外部から仮想マクロセル内に新たに端末装置２が入ってきた場合にも、基地局装置１は、無線信号の送信抑制状態から通常動作に戻る。
【００７２】
そこで、図６を参照して、本実施例に係る基地局装置１の無線信号の送信抑制状態からの復帰処理の流れを説明する。図６は、端末装置の進入による無線信号の送信抑制状態からの復帰処理のフローチャートである。
【００７３】
各デジタル処理部２２０の通信処理部２３１は、接続するＲＥ３０の無線信号の送信を停止しているか否に関わらず、接続するＲＥ３０から受信信号を取得する。そして、制御部２０１は、受信した信号を用いて、接続するＲＥ３０の受信強度を各デジタル処理部２２０から取得する（ステップＳ２１）。
【００７４】
そして、制御部２０１は、受信強度が端末装置２の進入を判定するための閾値を超えたか否かにより、他の端末装置２がＦＨＭ２０の配下へ進入したか否かを判定する（ステップＳ２２）。ＦＨＭ２０の配下へ進入した他の端末装置２が存在しない場合（ステップＳ２２：否定）、制御部２０１は、ステップＳ２１へ戻る。
【００７５】
これに対して、ＦＨＭ２０の配下へ進入した他の端末装置２が存在した場合（ステップＳ２２：肯定）、制御部２０１は、配下のＲＥ３０を通常動作に移行し、仮想マクロセルを用いた端末装置２との通信を再開する（ステップＳ２３）。
【００７６】
その後、基地局装置１は、送信停止判定処理を実行する（ステップＳ２４）。ここで、例えば図５のフローのステップＳ１からＳ１６までの一連の処理が、ステップＳ２４の送信停止判定処理の一例にあたる。
【００７７】
（ハードウェア構成）
次に、図７を参照して、ＦＨＭ２０のハードウェア構成について説明する。図７は、ＦＨＭのハードウェア構成図である。
【００７８】
ＦＨＭ２０は、例えば、ＣＰＲＩ終端回路９１１、ＣＰＵ（Central  Processing  Unit）９１２、ＦＰＧＡ（Field  Programmable  Gate  Array）９１３、メモリ９１４及びネットワークインタフェース９１５を有する。ＣＰＵ９１２及びＦＰＧＡ９１３は、バスによりＣＰＲＩ終端回路９１１、メモリ９１４に接続される。
【００７９】
ネットワークインタフェース９１５は、ＲＥＣ１０及びＲＥ３０との通信を行うためのインタフェースである。また、ＣＰＲＩ終端回路９１１は、図２に例示したＣＰＲＩ終端部２１０の機能を実現する。
【００８０】
メモリ９１４は、図２に例示した記憶部２０２の機能を実現する。また、メモリ９１４は、デジタル処理部２２０及び制御部２０１の機能を実現するためのプログラムを含む各種プログラムを記憶する。
【００８１】
ＣＰＵ９１２及びメモリ９１４は、図２に例示した制御部２０１及びデジタル処理部２２０の通信処理部２３１の機能を実現する。例えば、ＣＰＵ９１２は、各種プログラムをメモリ９１４から読み出し、展開して実行することで、制御部２０１及び通信処理部２３１の機能を実現する。
【００８２】
ＦＰＧＡ９１３及びメモリ９１４は、図２に例示したデジタル処理部２２０のＩＱ変調処理部２３２、デコード処理部２３３及び測定データ取得部２３４の機能を実現する。例えば、ＦＰＧＡ９１３は、各種プログラムをメモリ９１４から読み出し、展開して実行することで、ＩＱ変調処理部２３２、デコード処理部２３３及び測定データ取得部２３４の機能を実現する。このように、本実施例に係るＦＨＭ２０は、高速処理を行うＤＳＰを用いずに、ＦＰＧＡ９１３を用いて、ＩＱ変調処理部２３２、デコード処理部２３３及び測定データ取得部２３４の機能を実現する。これにより、コストを抑えることができる。
【００８３】
次に、図８を参照して、ＲＥＣ１０のハードウェア構成について説明する。図８は、ＲＥＣのハードウェア構成図である。
【００８４】
ＲＥＣ１０は、図８に示すように、ＦＰＧＡ／ＤＳＰ９２１、ＣＰＵ９２２、ＤＳＰ９２３、メモリ９２４、ネットワークプロセッサ９２５及びクロック生成回路９２６を有する。
【００８５】
ネットワークプロセッサ９２５は、ＦＨＭ２０との通信を行う伝送路インタフェースである。クロック生成回路９２６は、ＲＥＣ１０全体のタイミング制御を行う。ＣＰＵ９２２は、クロック生成回路９２６から取得したクロックを用いて、ＲＥＣ１０全体の統括制御を行う。ＤＳＰ９２３は、ベースバンド処理を行う。ＤＳＰ９２３は、ＲＥＣ１０上に１つ又は複数配置される。１つのＤＳＰ９２３は１つのベースバンド処理部の機能を実現する。本実施例では、１つのＤＳＰ９２３が、ＦＨＭ２０を介して複数のＲＥ３０と接続される。ＦＰＧＡ／ＤＳＰ９２１は、ＣＰＲＩの規格に準拠した通信を行うための信号処理の機能を実現する。
【００８６】
以上に説明したように、本実施例に係るＦＨＭは、セルが重複する領域に端末装置が在圏し、異なるＲＥの配下に端末装置が存在する場合に、受信強度が最高のセルを有するＲＥを残して他のＲＥの無線信号の送信を抑制する。これにより、同時に送信される信号による干渉を防ぎ、効率的な信号送信を実現することができる。
【００８７】
また、本実施例に係るＦＨＭでは無線信号の送信の抑制の判断に即時性が要求されないため、ＤＳＰなどの高速処理を行う高価な部品を用いずに効率的な信号送信を実現でき、コストを抑えることができる。
【００８８】
また、本実施例に係るＦＨＭは、配下に端末装置が存在しないＲＥの無線信号の送信を抑制する。これにより、端末装置が存在しないセルにおける無駄な無線信号の送信を抑制することができ、基地局装置の消費電力を低減することができる。
【符号の説明】
【００８９】
１  基地局装置
２  端末装置
１０  ＲＥＣ
２０  ＦＨＭ
３０〜３３  ＲＥ
４１〜４３  アンテナ
２０１  制御部
２０２  記憶部
２１０〜２１３  ＣＰＲＩ終端部
２２０〜２２３  デジタル処理部
２３１  通信処理部
２３２  ＩＱ変調処理部
２３３  デコード処理部
２３４  測定データ取得部
【図１】
2018011130.tif 000003
【図２】
2018011130.tif 000004
【図３】
2018011130.tif 000005
【図４】
2018011130.tif 000006
【図５】
2018011130.tif 000007
【図６】
2018011130.tif 000008
【図７】
2018011130.tif 000009
【図８】
2018011130.tif 000010